(57)【特許請求の範囲】
【請求項１】
開口部を有するベース枠と、このベース枠の開口部の周縁に設けられた支持枠体に脱着可能に組み付けられる遊技盤とを備えた遊技機において、
遊技盤は、
方形板状のパネルと、
第１の基板ボックスと、
第２の基板ボックスと、
第１の基板ボックスと第２の基板ボックスを連結するリンク部材とを有し、
第１の基板ボックスは、その全てがパネルの外郭内に収まるようにパネルの裏面側に取り付けられ、パネルに対して配置位置が切換不能となっており、
第２の基板ボックスは、第１の基板ボックスに対してリンク部材が揺動することで、（１）パネルの厚み方向で第１の基板ボックスの後に重ねて配置され、その全てがパネルの外郭内に収まり、かつ、パネルの下面と、第１の基板ボックスの下面と、第２の基板ボックスの下面とが同一平面上で揃う第１の位置と、（２）パネルの厚み方向で第１の基板ボックスの後に重ならないように配置され、その少なくとも一部がパネルの外郭からはみだし、かつ、パネルの下面及び第１の基板ボックスの下面と第２の基板ボックスの下面とが同一平面上で揃わない第２の位置に配置位置が切換可能となっており、
遊技盤は、
床置時には、第２の基板ボックスを第１の位置に配置し、パネルの下面と第１の基板ボックスの下面と第２の基板ボックスの下面とが水平床面に接した状態で、重心をパネルと第２の基板ボックスとの間に位置して水平床面上で起立し、
第２の基板ボックスが第１の位置にある状態で、パネルの外郭が支持枠体内に装着されてベース枠に組み付けられ、
ベース枠組付後に、第２の基板ボックスが第１の位置から第２の位置へ切換えられることを特徴とする遊技機。
【請求項２】
第２の位置では、第２の基板ボックスは第１の基板ボックスの下に配置されることを特徴とする請求項１に記載の遊技機。
【請求項３】
第１の基板ボックス及び第２の基板ボックスの各側面には、第２の基板ボックスが第１の位置に配置された状態でリンク部材と当接してこれを固定する第１リブ部がそれぞれ設けられており、
第１リブ部は、第１の基板ボックス及び第２の基板ボックスの各側面上で直線状に伸びると共に各側面から突出する凸形状をそれぞれ有しており、
第２の基板ボックスが第１の位置から第２の位置へと切換られるときに、リンク部材は第１リブ部を乗り越えて揺動することを特徴とする請求項１又は２に記載の遊技機。
【請求項４】
第１の基板ボックス及び第２の基板ボックスの各側面には、第２の基板ボックスが第２の位置に配置された状態でリンク部材と当接してこれを固定する第２リブ部がそれぞれ設けられており、
第２リブ部は、第１の基板ボックス及び第２の基板ボックスの各側面上で直線状に伸びると共に各側面から突出する凸形状をそれぞれ有しており、
第２の基板ボックスが第２の位置から第１の位置へと切換られるときに、リンク部材は第２リブ部を乗り越えて揺動することを特徴とする請求項３に記載の遊技機。
【発明の詳細な説明】
【０００１】
【発明の属する技術分野】
本発明は、遊技機に関するものである。特に遊技機の遊技盤の取り扱いを向上させる技術に関するものである。
【０００２】
【従来の技術】
遊技機（例えば、パチンコ機）の主要な構成部材である遊技盤は、方形板状のパネルの裏面に裏面部材（パネルカバーや基板ボックス等）が取り付けられている。この遊技盤は、遊技機に組み込まれて遊技機全体として販売される場合だけでなく、遊技機とは別個に遊技盤単体として販売される場合がある。このため、遊技盤単体としての取り扱いが容易なことが求められている。特に、遊技盤を一時的に床に置いておく場合や、輸送する場合には、スペースを有効に利用するという観点から、遊技盤を起立した姿勢に維持できることが望まれる。
しかしながら、従来の遊技機の遊技盤は、パネルが方形板状に形成されており、パネルの裏側には複数の裏面部材が重なって取り付けられている。よって、パネルの下端は水平床面と接するが、遊技盤の重心は裏側に片寄っている。従って、パネルの下端を利用して、遊技盤を床に起立させることができなかった。このため、従来の遊技機の遊技盤は、別途用意した起立支持具により支持したり、壁に立てかけたりして起立させておく必要があった。
【０００３】
【発明が解決しようとする課題】
しかしながら、起立支持具を用いて遊技盤を起立する方法では遊技盤の台数分の起立支持具をわざわざ用意する必要があり、また、壁に遊技盤を立てかけておく方法では、遊技盤が不安定となり不意に倒れる危険性もあった。特に、遊技機ホールでの遊技盤の組み付けは、数百台単位で限られた時間内に行われるのが普通であり、この場合に遊技盤を壁に立てかけておくのは、その場所の確保とともに、倒れないように注意しながら壁に立てかける作業の煩わしさが大きな負担となっていた。さらに、遊技盤を輸送するときには、輸送用箱の中に収容された遊技盤を起立姿勢に維持しておくために、遊技盤と輸送用箱との間の隙間にクッション材を詰め込んで安定させていた。しかし、クッション材の詰め込み方が不十分だと、輸送時の振動で起立姿勢が崩れ、遊技盤が損傷してしまうことがあった。
【０００４】
本発明は、上述した実状に鑑みなされたものであり、その目的は、起立することができる遊技機の遊技盤を提供することである。
【０００５】
【課題を解決するための手段および作用と効果】
上記課題を解決するため、請求項１に記載の遊技機は、開口部を有するベース枠と、このベース枠の開口部の周縁に設けられた支持枠体に脱着可能に組み付けられる遊技盤とを備えており、前記遊技盤は方形板状のパネルと、第１の基板ボックスと、第２の基板ボックスと、第１の基板ボックスと第２の基板ボックスを連結するリンク部材とを有し、第１の基板ボックスは、その全てがパネルの外郭内に収まるようにパネルの裏面側に取り付けられ、パネルに対して配置位置が切換不能となっており、第２の基板ボックスは、第１の基板ボックスに対してリンク部材が揺動することで、（１）パネルの厚み方向で第１の基板ボックスの後に重ねて配置され、その全てがパネルの外郭内に収まり、かつ、パネルの下面と、第１の基板ボックスの下面と、第２の基板ボックスの下面とが同一平面上で揃う第１の位置と、（２）パネルの厚み方向で第１の基板ボックスの後に重ならないように配置され、その少なくとも一部がパネルの外郭からはみだし、かつ、パネルの下面及び第１の基板ボックスの下面と第２の基板ボックスの下面とが同一平面上で揃わない第２の位置に配置位置が切換可能となっている。さらに、遊技盤は、床置時には、第２の基板ボックスを第１の位置に配置し、パネルの下面と第１の基板ボックスの下面と第２の基板ボックスの下面とが水平床面に接した状態で、重心をパネルと第２の基板ボックスとの間に位置して水平床面上で起立し、第２の基板ボックスが第１の位置にある状態で、パネルの外郭が支持枠体内に装着されてベース枠に組み付けられ、ベース枠組付後に、第２の基板ボックスが第１の位置から第２の位置へ切換えられることを特徴とする。
上記遊技盤は、パネルの下面及び第１の基板ボックスの下面と第２の基板ボックスの下面とが床面に接した状態で遊技盤が起立する位置、即ちパネルと第２の基板ボックスとの間に重心を有している。遊技盤を起立させることができると、遊技盤の起立支持具を用意しなくてもよく、また、遊技盤を壁に立てかけておく必要もなくなる。遊技盤を輸送する場合においても、遊技盤は輸送用箱の中で起立して姿勢が安定しているので、輸送時の振動で遊技盤の起立姿勢が崩れて損傷することも防止することができる。
【０００６】
ここで、上記「起立する位置の重心」の意義について、図１に示す遊技盤の一例を用いて具体的に説明する。図１は遊技盤を水平な床面に置いた状態の側面図である。図１に示されているように、遊技盤１３の方形板状のパネル２１３の裏面側（図１の図示の左側）には、裏面部材２１５が取り付けられている。裏面部材２１５の下部には床接地部２１５ａが形成されている。そして、この遊技盤の重心１３ａは図示の位置にある。すなわち、遊技盤１３がパネル２１３の下端２１３ａと床接地部２１５ａとで床２５０に接した状態で、重心１３ａから床２５０に垂直（即ち、重力方向）に降ろした線を２１５ｂとする。そして、この垂線２１５ｂと床２５０との交点を２１５ｃとすると、この交点２１５ｃが、パネルの下端２１３ａと床接地部２１５ａとの間となる。よって、遊技盤１３は、倒れることなく床２５０に起立する。したがって、図１に示すような遊技盤の場合においては、パネル下端２１３ａと床接地部２１５ａと重心１３ａが上述したような位置関係となるときに、遊技盤は「起立する位置に重心」を有することとなる。
なお、上記の例では１つの裏面部材２１５について説明しているが、例えば、基板ボックス等の裏面部材がパネルの裏面側に前後に重なって配置されていてもよい。この構成においては、パネルからより離れている裏面部材に床接地部を設ける方が、より安定して遊技盤を起立させることができる。
【０００７】
上記の遊技機は、第２の位置では、第２の基板ボックスは第１の基板ボックスの下に配置されることが好ましい。
【０００８】
上記の遊技機においては、第１の基板ボックス及び第２の基板ボックスの各側面には、第２の基板ボックスが第１の位置に配置された状態でリンク部材と当接してこれを固定する第１リブ部がそれぞれ設けられており、第１リブ部は、第１の基板ボックス及び第２の基板ボックスの各側面上で直線状に伸びると共に各側面から突出する凸形状をそれぞれ有しており、第２の基板ボックスが第１の位置から第２の位置へと切換られるときに、リンク部材は第１リブ部を乗り越えて揺動することが好ましい。
【０００９】
上記の遊技機においては、第１の基板ボックス及び第２の基板ボックスの各側面には、第２の基板ボックスが第２の位置に配置された状態でリンク部材と当接してこれを固定する第２リブ部がそれぞれ設けられており、第２リブ部は、第１の基板ボックス及び第２の基板ボックスの各側面上で直線状に伸びると共に各側面から突出する凸形状をそれぞれ有しており、第２の基板ボックスが第２の位置から第１の位置へと切換られるときに、リンク部材は第２リブ部を乗り越えて揺動することが好ましい。
【００１１】
【発明の実施の形態】
上述した請求項１〜４に記載の遊技機は、下記に示す形態で好適に実施することができる。
（形態１）請求項１〜４のいずれか一つに記載の遊技機においては、裏面部材は遊技盤のパネルの裏側に取り付けられる部材であればよく、その部材の下部を床接地部とし、遊技盤を起立させるのに利用することができる。この裏面部材を構成する部材としては、例えば、パネルカバー、可動基板ボックス等がある。
（形態２）請求項１〜４のいずれか一つに記載の遊技機においては、遊技盤の裏側の位置と遊技盤の外郭より下側の位置に配置を切り換えることができる可動基板ボックスが遊技盤に取り付けられ、この可動基板ボックスに床接地部が設けられていても良い。可動基板ボックスが遊技盤の裏側に配置されている状態で、床接地部が床と接する構成となるため、より安定した状態で遊技盤を起立させることができる。
（形態３）請求項１〜４のいずれか一つに記載の遊技機においては、遊技盤のパネルの下端および／または裏面部材の下部に、複数の床接地部が形成されていても良い。この構成の遊技盤を床に置くと、パネルの下端および／または裏面部材の下部は、複数の床接地部で床と接する。このように床接地部を構成しておけば、パネルおよび／または裏面部材の他の部分が床と接触して傷つくことがない。
上記の、裏面部材の下部に形成される複数の床接地部は、パネルの裏面に重なって複数配置される裏面部材の下部に設けてもよいし、パネルの裏面に平行方向に複数配置される裏面部材の下部に設けてもよい。
なお、床面に接地される床接地部には、床面とのすべり防止機能を有する部材等を配しても良いし、また、衝撃を緩衝する緩衝機能を有する部材を配するようにしても良い。このような形態によれば、それぞれ、安定した状態で床面に起立することができたり、また、床に接触させるときの衝撃により遊技盤が傷つくこと等が防止される。
【００１２】
【実施例】
（実施例１）本発明をパチンコ機に具現化した第１の実施例について、図２〜図８を参照して説明する。図２は、パチンコ機の外枠に対してベース枠が開かれた状態を示す斜視図である（図２では、図示の便宜上、遊技盤を省略して示している）。図３は、パチンコ機の外枠に対してベース枠が開かれ、このベース枠に対して表枠が開かれた状態を示す斜視図である。図４は、パチンコ機の表側全体を示す正面図である。図５は、パチンコ機の裏側全体を示す背面図である。図６は、図５のＶＩ−ＶＩ線断面図である。図７は、床に置かれた遊技盤の側面図である。図８は、床に置かれた遊技盤の裏側を示す背面図である。なお、図２、図３の図示の左側がパチンコ機の表面側であり、右側が裏面側である。
図２、図３に示されているように、パチンコ機１は、外枠２、ベース枠１０および表枠３０を主体として構成されている。外枠２は、方形枠状に形成されており、この外枠２の下部には、ベース枠１０の下端を受け止める下受け板３が取り付けられている。また、外枠２の表面の片側には、ベース枠ヒンジ機構１００によって、ベース枠１０が外枠２に対して開閉可能に組み付けられている。ベース枠１０は方形額縁状に形成されており、裏面には、ベース枠１０の開口部周縁に沿って支持枠体１１が設けられ、この支持枠体１１に遊技盤１３が着脱可能に取り付けられている。ベース枠１０に取り付けられた遊技盤１３は、その表面のほとんどがベース枠１０の開口部から露出する。
【００１３】
図２に示されているように、ベース枠１０の裏面には、支持枠体１１の片側の枠部１１ａで、裏セットヒンジ機構１２０によって裏セット部材１６が開閉可能に組み付けられている。ベース枠１０の支持枠体１１には、裏セット部材１６を閉じた状態に保持するための複数の締め付け具１９が取り付けられている。ベース枠１０に遊技盤１３を固定する場合には、ベース枠１０の支持枠体１１に遊技盤１３を組み込み、次に、裏セット部材１６をベース枠１０に対して閉じ、この裏セット部材１６を締め付け具１９によって閉じた状態に保持する。これとは逆に、締め付け具１９を外して裏セット部材１６を開くと、ベース枠１０の支持枠体１１から遊技盤１３を取り外すことができる。
裏セット部材１６の裏側には、図５に示されているように、球タンク７０、球誘導樋７１、払い出し樋７２等のパチンコ球の貯留、誘導等を行う部材が取り付けられている。
【００１４】
図２に示されているように、ベース枠１０の裏側の、ベース枠ヒンジ機構１００とは反対側の一端には、上下に１つずつのベース枠施錠フック１７が上下方向にスライド可能に組み付けられている。このベース枠施錠フック１７は、外枠２に対してベース枠１０が閉じられたときに、外枠２に設けられた係合部（図示していない）に係合し、ベース枠１０を閉じた状態に施錠することができるようになっている。また、外枠２に対するベース枠１０の解錠は、図３、図４に示されているベース枠１０の表側の鍵穴２２に鍵を挿入して回すことで、ベース枠施錠フック１７を解錠方向（下方）にスライドさせ、外枠２の係合部から外すことにより行われる。
【００１５】
図３、図４に示されているように、ベース枠１０の表側下部には、パチンコ球を発射するための発射ハンドル２０や下皿２１等が取り付けられている。また、ベース枠１０の表側には、表枠３０が表枠ヒンジ機構１４０によって開閉可能に組み付けられている。この表枠３０は、表枠本体３１、補強部材３１ａ、ガラス枠３３等を備えている。
表枠本体３１は合成樹脂材料よりなり、図３、図４に示されているように、中央部に遊技盤１３のパネル２１３の遊技領域を透視可能な略円形の開口窓３２が形成されている。表枠本体３１の表側には、開口窓３２の周りを囲むように凹凸の装飾が施された合成樹脂製の装飾部材５０が組み付けられている。この装飾部材５０には、光が放たれるレンズを備えた飾り窓５１が適宜に形成される他、遊技盤１３の盤面に貼り付けられた証紙を透視可能な窓５２が形成されている。
図３に示されているように、表枠３０に設けられたガラス枠３３は、表枠本体３１の開口窓３２を塞ぐ、重なり合った２枚のガラス板２９（図６に２枚のガラス板２９について図示されている）を保持するためのものである。このガラス枠３３は、補強部材３１ａの裏面側に設けられている。
【００１６】
図３に示されているように、表枠本体３１の表枠ヒンジ機構１４０と反対側の側端には、上、中、下のそれぞれ箇所に表枠施錠フック８０が上下方向にスライド可能に組み付けられている。この表枠施錠フック８０は、ベース枠１０に対して表枠３０が閉じられたときに、ベース枠１０に形成された係合穴８１に係合し、ベース枠１０に対して表枠３０を施錠する。
ベース枠１０に対する表枠３０の解錠は、ベース枠１０の前面の鍵穴２２に鍵を挿入して、上述した外枠２に対するベース枠１０の解錠方向とは逆の方向に鍵を回す。この鍵を回すことにより、表枠施錠フック８０が解錠方向（下方）にスライドし、ベース枠１０に対して表枠３０が解錠される。
図３、図４に示されているように、表枠３０の下方には、下板９０がベース枠１０にヒンジ（図示していない）で開閉可能に組み付けられている。この下板９０のヒンジとは反対側の裏面には、ベース枠１０に対して下板９０を閉じた状態に保持する閉止爪９２が形成された係合金具９１が装着されている。下板９０の前面には上皿９３が取り付けられている。
【００１７】
次に、上述したベース枠１０と裏セット部材１６の間に挟持されることで、ベース枠１０に組み付けられる遊技盤１３について説明する。遊技盤１３は、図５、図６に示されているように、その表面に遊技領域が形成される方形板状のパネル２１３を備え、このパネル２１３の裏面には、複数の部材（制御基板等を含む）を覆っているパネルカバー６が取り付けられている。このパネルカバー６は一部が切り欠かれた形状をしており、ここに主制御基板を収容している主制御基板ボックス２１２が取り付けられている。また、このパネルカバー６の大きさは、裏セット部材１６の中央に設けられた開口部と略同一の形状を有し（図２参照）、裏セット部材１６がベース枠１０に対して閉じられた状態で、この開口部からパネルカバー６等が裏側に突出するようになっている。なお、裏セット部材１６の裏面（ベース枠１０の裏側）には、払い出し制御基板と電源基板を収容しているサブ基板ボックス２３２が取り付けられている。
【００１８】
上述した遊技盤１３の裏面に取り付けられているパネルカバー６と主制御基板ボックス２１２の下部には、図７、図８に示す状態で床２５０に起立されたとき、床２５０に接地する床接地部６ａと２１２ａがそれぞれ設けられている。本実施例においては、これらパネルカバー６の床接地部６ａと、主制御基板ボックスの床接地部２１２ａと、パネル２１３の下端２１３ａとは、同一平面上となるように形成され、この同一平面は、パネル２１３とのなす角度２６２が直角となるように配置されている。
ここで、遊技盤１３が床２５０に起立された状態、すなわち、遊技盤１３が、パネル下端２１３ａと、パネルカバーの床接地部６ａと、主制御基板ボックスの床接地部２１２ａとで床２５０に接した状態では、遊技盤１３の重心１３ａは、図７、図８に図示した位置にある。図７において、重心１３ａから床２５０に垂直に降ろした垂線２１５ｂと床２５０の交点２１５ｃは、パネル２１３の下端２１３ａと主制御基板ボックスの床接地部２１２ａとの間にある。よって、遊技盤１３は、起立する位置に重心を有することとなり、さらに、床接地面とパネル２１３のなす角が垂直であるため、床２５０に対して直角に起立することができる。
なお、パネル２１３の下端２１３ａと、パネルカバーの床接地部６ａと、主制御基板ボックスの床接地部２１２ａとは、遊技盤１３が床２５０に置かれた状態では、遊技盤１３の重量を受け止める必要があるので、遊技盤１３の重量に耐える強度を有するように形成されている。
【００１９】
（実施例２）本発明をパチンコ機に具現化した第２の実施例について、図９〜図１３を参照して説明する。図９は、可動基板ボックスが主制御基板ボックスの裏側に重なった位置（以下、第１の位置と言う）に配置されている状態を示す側面図である。図１０は、可動基板ボックスが主制御基板ボックスの下側の位置（以下、第２の位置と言う）に配置されている状態を示す側面図である。図１１は、可動基板ボックスが、リンク機構によって第１の位置と第２の位置との間を移動することを説明する図である。図１２は、図１０のXII−XII線断面図である。図１３は、遊技盤を床に置いた状態の側面図である。図１４は、遊技盤を床に置いた状態を裏面側から見た背面図である。なお、図９〜図１１では、遊技盤の本体側は省略して図示している。また、本実施例の説明では、第１実施例のパチンコ機の説明で参照した図２〜図８の部材と同様の機能を果たすものについては、同じ参照番号を付し、重複した説明は省略する（後述する第３実施例でも同様である）。
【００２０】
本実施例のパチンコ機においては、遊技盤１３の裏側に取り付けられる可動基板ボックス２１６が第１の位置と第２の位置とに配置切り換え可能である。可動基板ボックス２１６を主制御基板ボックス２１２の下側の第２の位置２１６ｂに配置しておけば、主制御基板ボックス２１２の裏側には何も存在しないので、主制御基板ボックス２１２の点検、修理を容易に行うことができる。
図９〜図１１に示されているように、可動基板ボックス２１６は、リンク機構３１２によって、主制御基板ボックス２１２と連結されている。リンク機構３１２は、主制御基板ボックス側のピン３１４、リンクプレート３１８、可動基板ボックス側のピン３１６から構成されている。板状のリンクプレート３１８は、ピン３１４とピン３１６で、それぞれ主制御基板ボックス２１２と可動基板ボックス２１６に回転可能に取り付けられている。
【００２１】
図９〜図１２に示されているように、主制御基板ボックス２１２と可動基板ボックス２１６の外側面には、直線上の凸形状のリブ３２２が形成されている。可動基板ボックス２１６が第１の位置２１６ａと第２の位置２１６ｂに配置されているときには、リンクプレート３１８は可動基板ボックス２１６と主制御基板ボックス２１２に形成されているリブ３２２の間に収まっている。この状態から、リンクプレート３１８がピン３１４の周りに回転する、あるいは、可動基板ボックス２１６がピン３１６の周りに回転しようとすると、リンクプレート３１８はリブ３２２を乗り越える必要がある。リンクプレート３１８がリブ３２２を乗り越えるためには、リンクプレート３１８を変形させる力（ディテント力）を加えなければならない。このため、可動基板ボックス２１６は、ディテント力に打ち勝つ力を加えない限り、第１の位置２１６ａ、または、第２の位置２１６ｂに保持される。ディテント力に打ち勝つ力を可動基板ボックス２１６に加えると、図１１に示されているように、可動基板ボックス２１６はリンク機構３１２によって、第１の位置と第２の位置の間を移動して、配置切り換えされる。
【００２２】
ここで、図１３、図１４に示されているように、可動基板ボックス２１６を第１の位置２１６ａに配置した状態で遊技盤１３を床２５０に起立させると、第１の位置２１６ａに配置された可動基板ボックス２１６は、その下部である床接地部２１６ｃにおいて床２５０に接する。また、パネルカバー６と主制御基板ボックス２１２の下部にも、それぞれ床接地部６ａと２１２ａで床２５０に接する。さらに、パネル２１３の下端の両端には、下方に突き出した形状の床接地部２１３ｂで床２５０に接する。本実施例では、これら各床接地部（パネル２１３の床接地部２１３ｂ、可動基板ボックスの床接地部２１６ｃ、パネルカバー６の床接地部６ａ、主制御基板ボックス２１２の床接地部２１２ａ）が、同一平面上となるように形成されている。そして、この同一面とパネル２１３とがなす角度２６２が直角となるよう、これら床接地部２１３ｂ、２１６ｃ、６ａ、２１２ａの位置が調整されている。このときの遊技盤１３の重心１３ａは、図１３、図１４に図示されている位置にあり、この重心１３ａは、第１実施例のパチンコ機と同様に、起立する位置にあり、遊技盤１３が起立可能な範囲内にある。
よって、パネル２１３の床接地部２１３ｂと、可動基板ボックスの床接地部２１６ｃと、パネルカバーの床接地部６ａと、主制御基板ボックスの床接地部２１２ａとが床２５０に接するように遊技盤１３を置くと、遊技盤１３は床２５０に対して直角に起立する。このように起立された遊技盤１３は、可動基板ボックス２１６も床接地部として機能するので、より安定している。また、パネル２１３の下端には、床接地部２１３ｂが形成されているので、パネル２１３の他の部分が床と接触して傷つくことが防止される。
【００２３】
（第３実施例）本発明をパチンコ機に具現化した第３の実施例について、図１５を参照して説明する。図１５は、遊技盤が床に置かれた状態の側面図である。図１５に示されているように、遊技盤１３の裏面に取り付けられているパネルカバー６と主制御基板ボックス２１２の下部には、それぞれ床接地部６ａと２１２ａが設けられている。パネルの下端２１３ａと、パネルカバーの床接地部６ａと、主制御基板ボックスの床接地部２１２ａとは同一平面上となるように形成されている。この同一面とパネル２１３とがなす角度２６２は、直角（９０度）よりも小さい角度となっている。遊技盤の重心１３ａから床２５０に垂直（重力方向）に降ろした線２１５ｂと床２５０との交点を２１５ｃとすると、交点２１５ｃは、パネルの下端２１３ａと主制御基板ボックスの床接地部２１２ａの間にある。よって、パネルの下端２１３ａと、パネルカバーの床接地部６ａと、主制御基板ボックスの床接地部２１２ａとで床２５０に接するように遊技盤１３を置くと、遊技盤１３は床２５０に対して裏側方向に傾いて起立する。
遊技盤１３の床２５０に対する起立の姿勢が、垂直ではなく傾斜していても、安定して起立していれば、遊技盤の取り扱いは格段に容易になる。
【００２４】
以上、本発明の実施例に係る遊技機について説明したが、本発明は上記の実施例になんら限定されるものではなく、本発明は当業者の知識に基づいて種々の変更、改良を施した形態で実施することができる。
【００２５】
例えば、実施例１〜３の遊技機の裏面部材（パネルカバー、基板ボックス、可動基板ボックス等）は、遊技盤が床に起立した状態では、床との接触部は直線状になるが、必ずしもこのように構成されている必要はない。裏面部材が最低限１箇所で床と接するように構成し、遊技盤の重心を調整すれば、遊技盤は安定して起立させることができる。
【図面の簡単な説明】
【図１】起立可能な遊技盤の重心について説明する図。
【図２】第１実施例のパチンコ機の、外枠に対してベース枠が開かれた状態を示す斜視図。
【図３】同、ベース枠と表枠が開かれた状態を示す斜視図。
【図４】同、表側全体を示す正面図。
【図５】同、裏側全体を示す背面図。
【図６】同、図５のＶＩ−ＶＩ線断面図。
【図７】同、床に置かれた遊技盤の側面図。
【図８】同、床に置かれた遊技盤の背面図。
【図９】第２実施例のパチンコ機の、可動基板ボックスが第１の位置に配置されている状態を示す側面図。
【図１０】同、可動基板ボックスが第２の位置に配置されている状態を示す側面図。
【図１１】同、可動基板ボックスが、第１の位置と第２の位置との間を移動するのを説明する図。
【図１２】同、図１０のＸII−ＸII線断面図。
【図１３】同、床に置かれた遊技盤の側面図。
【図１４】同、床に置かれた遊技盤の背面図。
【図１５】第３実施例のパチンコ機が床に置かれた状態の側面図。
【符号の説明】
１：パチンコ機
２：外枠
３：下受け板
６：パネルカバー、６ａ：床接地部
１０：ベース枠
１１：支持枠体、１１ａ：枠部
１３：遊技盤、１３ａ：重心
１６：裏セット部材
１７：ベース枠施錠フック
１９：締め付け具
２０：発射ハンドル
２１：下皿
２２：鍵穴
２９：ガラス板
３０：表枠
３１：表枠本体、３１ａ：補強部材
３２：開口窓
３３：ガラス枠
５０：装飾部材
５１：飾り窓
５２：窓
７０：球タンク
７１：球誘導樋
７２：払い出し樋
８０：表枠施錠フック
８１：係合穴
９０：下板
９１：係合金具
９２：閉止爪
９３：上皿
１００：ベース枠ヒンジ機構
１２０：裏セットヒンジ機構
１４０：表枠ヒンジ機構
２１２：主制御基板ボックス、２１２ａ：床接地部
２１３：パネル、２１３ａ：パネルの下端、２１３ｂ：床接地部
２１５：裏面部材、２１５ａ：床接地部、２１５ｂ：重心から床への垂線、２１５ｃ、重心の垂線と床との交点
２１６：可動基板ボックス、２１６ａ：第１の位置、２１６ｂ：第２の位置、２１６ｃ：床接地部
２３２：サブ基板ボックス
２５０：床
２６２：平面とパネルのなす角度
３１２：リンク機構
３１４、３１６：ピン
３１８：リンクプレート
３２２：リブ
【図１】
0004341874.tif 000002
【図２】
0004341874.tif 000003
【図３】
0004341874.tif 000004
【図４】
0004341874.tif 000005
【図５】
0004341874.tif 000006
【図６】
0004341874.tif 000007
【図７】
0004341874.tif 000008
【図８】
0004341874.tif 000009
【図９】
0004341874.tif 000010
【図１０】
0004341874.tif 000011
【図１１】
0004341874.tif 000012
【図１２】
0004341874.tif 000013
【図１３】
0004341874.tif 000014
【図１４】
0004341874.tif 000015
【図１５】
0004341874.tif 000016